(57)【要約】【課題】ディジタルテレビジョン放送受信装置等の立体視映像再生装置に適用される映像信号生成装置において、臨場感が一層向上する立体視映像を得ることが可能な立体映像信号を生成する。【解決手段】奥行き情報に基づいた立体視映像用の映像信号を生成する映像信号生成装置の奥行き情報変更部は、音声情報に基づいて奥行き情報を変更する。  これにより映像信号生成部は、奥行き情報変更部により変更された奥行き情報に基づいて映像信号を生成する。【選択図】図１
2012213070.tif 000002
【特許請求の範囲】
【請求項１】
奥行き情報に基づいた立体視映像用の映像信号を生成する映像信号生成装置であって、
音声情報に基づいて前記奥行き情報を変更する奥行き情報変更部と、
前記奥行き情報変更部が変更した奥行き情報 に基づいて映像信号を生成する映像信号生成部と、
を備える映像信号生成装置。
【請求項２】
前記映像信号生成部は、前記入力された映像信号に対応する画像から特定画像領域を抽出し、前記特定画像領域の画像に前記変更された奥行き情報を割り当てて、前記立体視映像用の映像信号を生成する、
請求項１記載の映像信号生成装置。
【請求項３】
前記特定画像領域は、字幕領域であり、
前記映像信号生成部は、前記字幕領域の画像に前記変更された奥行き情報を割り当てて、前記立体視映像用の映像信号を生成する、
請求項２記載の映像信号生成装置。
【請求項４】
前記特定画像領域は、画像構成要素であるオブジェクトが表示されている領域であり、
前記映像信号生成部は、前記オブジェクトに対応する画像に前記変更された奥行き情報を割り当てて前記立体視映像用の映像信号を生成する、
請求項２記載の映像信号生成装置。
【請求項５】
前記音声信号は、サラウンド音声信号であり、
前記奥行き情報変更部は、前記サラウンド音声信号に対応するサラウンド音声の音像定位の変化に伴って前記奥行き情報を変更する、
請求項１乃至請求項３のいずれかに記載の映像信号生成装置。
【請求項６】
前記奥行き情報変更部は、前記サラウンド音声のうち、所定レベル以上のサラウンド音声の音像定位の変化に伴って前記奥行き情報を変更する、
請求項１乃至請求項３のいずれかに記載の映像信号生成装置。
【請求項７】
生成した映像信号に基づいて映像を表示する表示部を更に備える請求項１乃至請求項６のいずれかに記載の映像信号生成装置。
【請求項８】
奥行き情報に基づいた立体視映像を生成する映像信号生成装置で実行される映像信号生成方法であって、
音声情報に基づいて前記奥行き情報を変更する奥行き情報変更過程と、
変更された前記奥行き情報に基づいて映像信号を生成する映像信号生成過程と、
を備えた映像信号生成方法。
【請求項９】
奥行き情報に基づいた立体視映像を生成する映像信号生成装置をコンピュータにより制御するための制御プログラムであって、
前記コンピュータを、
音声情報に基づいて前記奥行き情報を変更する奥行き情報変更手段と、
変更された前記奥行き情報に基づいて映像信号を生成する映像信号生成手段と、
して機能させる制御プログラム。
【発明の詳細な説明】
【技術分野】
【０００１】
本発明の実施形態は、映像信号生成装置、映像信号生成方法及び制御プログラムに関する。
【背景技術】
【０００２】
現在、平面的な映像表示画面を用いて視聴者に立体感のある映像を認識させる技術の開発が進められている。この技術は、相互に人間の両目の間隔に対応した視差を有する２種類の映像を用意し、右目用映像を視聴者の右目に視認させ、左目用映像を視聴者の左目に視認させることによりユーザに立体視を提供するものである。具体的には、右目用映像と左目用映像とを同一の映像表示画面に交互に表示させ、視聴者の装着した立体視用眼鏡に対して、右目用映像が表示されているとき左目のシャッタを閉じ、左目用映像が表示されているとき右目のシャッタを閉じるように制御することにより、視聴者に立体視映像を認識させる技術が存在している（例えば、特許文献１参照）。
【先行技術文献】
【特許文献】
【０００３】
【特許文献１】特開２０１０−２６８４３３号公報
【発明の概要】
【発明が解決しようとする課題】
【０００４】
ところで、このような立体視映像の再生技術は、現在、実用化されてきているが、、今後は、より一層の臨場感を有する立体視映像の再生技術が望まれている。
そこで、本発明の目的は、臨場感がより一層向上する立体視映像を得ることが可能な立体映像信号を生成する映像信号生成装置、映像信号生成方法及び制御プログラムを提供することにある。
【課題を解決するための手段】
【０００５】
実施形態の映像信号生成装置は、奥行き情報に基づいた立体視映像用の映像信号を生成するものである。
そして、映像信号生成装置の奥行き情報変更部は、音声情報に基づいて奥行き情報を変更する。
これにより映像信号生成部は、奥行き情報変更部が変更した奥行き情報に基づいて映像信号を生成する。
【図面の簡単な説明】
【０００６】
【図１】図１は、実施形態にかかるディジタルテレビジョン放送受信装置の信号処理系を示すブロック図である。
【図２】図２は、第１実施形態における信号処理部の機能ブロック図である。
【図３】図３は、第２実施形態における信号処理部の機能ブロック図である。
【図４】図４は、第３実施形態における信号処理部の機能ブロック図である。
【図５】図５は、画像内の物体（オブジェクト）に対する音声情報に基づいた奥行き情報の割り当ての概念説明図である。
【発明を実施するための形態】
【０００７】
次に好適な実施形態について図面を参照して説明する。
［第１実施形態］
図１は、実施形態にかかるディジタルテレビジョン放送受信装置の信号処理系を示すブロック図である。
図１に示すディジタルテレビジョン放送受信装置（以下、ディジタルテレビジョンと称する）１１は、通常の平面視（２次元）表示用の映像信号に基づく映像表示を行なうだけでなく、立体視（３次元）表示用の映像信号に基づく映像表示も行なうことができる。
【０００８】
図１に示すように、ディジタルテレビジョン１１は、アンテナ１２で受信したディジタルテレビジョン放送信号を、入力端子１３を介してチューナ部１４に供給することにより、所望のチャンネルの放送信号を選局することが可能になっている。
【０００９】
ディジタルテレビジョン１１は、チューナ部１４で選局された放送信号を、復調復号部１５に供給してディジタル映像信号及びディジタル音声信号等に復元した後、信号処理部１６に出力する。信号処理部１６は、復調復号部１５から供給されたディジタルの映像信号及び音声信号に対してそれぞれ所定のディジタル信号処理を施す。
【００１０】
ここで、信号処理部１６が行なう所定のディジタル信号処理には、通常の平面視（２次元）表示用の映像信号を立体視（３次元）表示用の映像信号及び音声信号に変換する処理、その際に復調復号部１５から入力されたディジタル映像信号及びディジタル音声信号あるいは後述のＯＳＤ信号生成部１９から入力された字幕などのＯＳＤ信号に基づいて立体視表示用の映像信号を生成する際の奥行き情報を生成する処理、立体視表示用の映像信号を平面視表示用の映像信号に変換する処理等も含まれている。
【００１１】
また、信号処理部１６は、ディジタル映像信号を合成処理部１７に出力し、ディジタル音声信号を音声処理部１８に出力する。
合成処理部１７は、信号処理部１６から供給されるディジタル映像信号に、ＯＳＤ（on screen display）信号生成部１９で生成される字幕、ＧＵＩ（Graphical User Interface）、ＯＳＤなどの重畳用映像信号であるＯＳＤ信号を重畳して出力している。この場合、合成処理部１７は、信号処理部１６から供給される映像信号が通常の平面視表示用の映像信号であれば、その映像信号にＯＳＤ信号生成部１９から供給されたＯＳＤ信号をそのまま重畳して出力している。
【００１２】
また、合成処理部１７は、信号処理部１６から供給される映像信号が立体視表示用の映像信号である場合、ＯＳＤ信号生成部１９から供給されたＯＳＤ信号に対して、入力された立体視表示用の映像信号に対応した立体視表示用の信号処理を施した後、そのＯＳＤ信号を入力映像信号に重畳して出力している。
【００１３】
ディジタルテレビジョン１１は、合成処理部１７から出力したディジタルの映像信号を、映像処理部２０に供給する。映像処理部２０は、入力されたディジタル映像信号を、後段の、例えば液晶表示パネル等を有する平面型の映像表示部２１で表示可能なフォーマットのアナログ映像信号に変換している。ディジタルテレビジョン１１は、映像処理部２０から出力されたアナログ映像信号を、映像表示部２１に供給して映像表示に供する。
【００１４】
音声処理部１８は、入力されたディジタル音声信号を、後段のスピーカ２２で再生可能なフォーマットのアナログ音声信号に変換している。そして、この音声処理部１８から出力されたアナログ音声信号が、スピーカ２２に供給されることにより音声再生に供される。
【００１５】
ここで、ディジタルテレビジョン１１は、上記した各種の受信動作を含むその全ての動作を制御部２３によって統括的に制御している。この制御部２３は、ＣＰＵ（central processing nit）２３ａを内蔵しており、ディジタルテレビジョン１１の本体に設置された操作部２４からの操作情報を受けて、または、リモートコントローラ２５から送出され受信部２６で受信した操作情報を受けて、その操作内容が反映されるように各部をそれぞれ制御している。
【００１６】
制御部２３は、メモリ部２３ｂを利用している。メモリ部２３ｂは、主として、ＣＰＵ２３ａが実行する制御プログラムを格納したＲＯＭ（Read Only Memory）と、ＣＰＵ２３ａに作業エリアを提供するためのＲＡＭ（Random Access Memory）と、各種の設定情報及び制御情報等が格納される不揮発性メモリとを有している。また、制御部２３には、ディスクドライブ部２７が接続されている。ディスクドライブ部２７は、例えばＤＶＤ（Digital Versatile Disk）等の光ディスク２８を着脱自在とするもので、装着された光ディスク２８に対してディジタルデータの記録再生を行なう機能を有している。
【００１７】
制御部２３は、視聴者による操作部２４やリモートコントローラ２５の操作に基づいて、復調復号部１５から得られるディジタルの映像信号及び音声信号を、記録再生処理部２９によって暗号化し所定の記録フォーマットに変換した後、ディスクドライブ部２７に供給して光ディスク２８に記録させるように制御することができる。
【００１８】
また、制御部２３は、視聴者による操作部２４やリモートコントローラ２５の操作に基づいて、ディスクドライブ部２７により光ディスク２８からディジタルの映像信号及び音声信号を読み出させ、上記記録再生処理部２９によって復号化した後、信号処理部１６に供給することによって、以後、上記した映像表示及び音声再生に供させるように制御することができる。
【００１９】
制御部２３には、ＨＤＤ（Hard Disk Drive）３０が接続されている。制御部２３は、視聴者による操作部２４やリモートコントローラ２５の操作に基づいて、復調復号部１５から得られるディジタルの映像信号及び音声信号を、記録再生処理部２９によって暗号化し所定の記録フォーマットに変換した後、ＨＤＤ３０に供給してハードディスク３０ａに記録させるように制御することができる。
【００２０】
また、制御部２３は、視聴者による操作部２４やリモートコントローラ２５の操作に基づいて、ＨＤＤ３０によりハードディスク３０ａからディジタルの映像信号及び音声信号を読み出させ、記録再生処理部２９によって復号化した後、信号処理部１６に供給することによって、以後、上記した映像表示及び音声再生に供させるように制御することができる。
【００２１】
さらに、ディジタルテレビジョン１１には、入力端子３１が接続されている。入力端子３１は、ディジタルテレビジョン１１の外部からディジタルの映像信号及び音声信号を直接入力するためのものである。この入力端子３１を介して入力されたディジタルの映像信号及び音声信号は、制御部２３の制御に基づいて、記録再生処理部２９を介した後、信号処理部１６に供給されて、以後、上記した映像表示及び音声再生に供される。
【００２２】
また、入力端子３１を介して入力されたディジタル映像信号及びディジタル音声信号は、制御部２３の制御に基づいて、記録再生処理部２９を介した後、ディスクドライブ部２７による光ディスク２８に対しての記録再生や、ＨＤＤ３０によるハードディスク３０ａに対しての記録再生に供される。
【００２３】
なお、制御部２３は、視聴者による操作部２４やリモートコントローラ２５の操作に基づいて、ディスクドライブ部２７とＨＤＤ３０との間で、光ディスク２８に記録されているディジタル映像信号及びディジタル音声信号をハードディスク３０ａに記録したり、ハードディスク３０ａに記録されているディジタル映像信号及びディジタル音声信号を光ディスク２８に記録したりすることも制御している。
【００２４】
また、制御部２３には、ネットワークインターフェース３２が接続されている。このネットワークインターフェース３２は、入出力端子３３を介して外部のネットワーク３４に接続されている。そして、このネットワーク３４には、当該ネットワーク３４を介した通信機能を利用して各種のサービスを提供するための複数（図示の場合は２つ）のネットワークサーバ３５，３６が接続されている。このため、制御部２３は、ネットワークインターフェース３２、入出力端子３３及びネットワーク３４を介して、所望のネットワークサーバ３５，３６にアクセスして情報通信を行なうことにより、そこで提供しているサービスを利用することができるようになっている。
【００２５】
図２は、第１実施形態における信号処理部の機能ブロック図である。
本第１実施形態において、信号処理部１６は、第１奥行き情報生成部１６Ａ、第２奥行き情報生成部１６Ｂ、奥行き情報合成部１６Ｃ及び多視差画像生成部１６Ｄとして機能している。
第１奥行き情報生成部１６Ａは、復調復号部１５から入力されたディジタル音声信号に対応する音声レベルに基づいて多視差画像を生成するための音声情報に基づいた奥行き情報を生成して奥行き情報合成部１６Ｃに出力する。
例えば、ディジタル音声信号に対応する音声レベルと所定のしきい値（一または複数）との大小関係に基づいて音声情報に基づいた奥行き情報を生成する。より具体的には、しきい値を超えた音声レベルが検出された場合には、超えない場合と比較して、飛び出し量が大きくなる奥行き情報を生成する。逆に、よりしきい値を超えて音声レベルが下がった場合には、超える前と比較して、飛び出し量が小さくなる奥行き情報を生成する。
【００２６】
また第２奥行き情報生成部１６Ｂは、復調復号部１５から入力されたディジタル映像信号に対応する映像の構図、動き、色等に対応づけて、画像情報に基づいた奥行き情報を生成して奥行き情報合成部１６Ｃに出力する。具体的には、手前に配置されているもの程、飛び出し量が大きくなる奥行き情報を生成したり、奥から手前に動いているものや、より高速に動いているものについてより飛び出し量が大きくなる奥行き情報を生成したり、明るいものほどより飛び出し量が大きくなる奥行き情報を生成する。
これらの結果、奥行き情報合成部１６Ｃは、画像情報に基づいた奥行き情報に音声情報に基づいた奥行き情報を加味して多視差画像生成に使用する最終的な奥行き情報を生成し、多視差画像生成部１６Ｄに出力する。
【００２７】
多視差画像生成部１６Ｄは、奥行き情報合成部１６Ｃから入力された奥行き情報及び復調復号部１５から入力されたディジタル映像信号に基づいて多視差画像を生成し、合成処理部１７に出力することとなる。
この結果、合成処理部１７及び映像処理部２０を介して映像表示部２１に表示される立体視用映像は、音声情報に対応する奥行きを考慮した飛び出し量（あるいは引っ込み量）を有する臨場感がより一層あふれるような立体視映像となる。
【００２８】
以上の説明は、復調復号部１５から入力されたディジタル映像信号が立体視用映像信号あるいは平面視用映像信号のいずれであっても適用が可能である。
以上の説明のように、本第１実施形態によれば、ディジタル映像信号のみならず、ディジタル音声信号も考慮した臨場感がより一層あふれるような立体視映像を得ることが可能となる。
【００２９】
［第２実施形態］
次に第２実施形態について説明する。
第２実施形態においてもディジタルテレビジョン放送受信装置の信号処理系は第１実施形態と同様であるので、その詳細な説明を援用するものとする。
【００３０】
図３は、第２実施形態における信号処理部の機能ブロック図である。
本第２実施形態において、信号処理部１６は、第１奥行き情報生成部１６Ａ、第２奥行き情報生成部１６Ｂ、奥行き情報合成部１６Ｃ、多視差画像生成部１６Ｄ及び字幕領域検出部１６Ｅとして機能している。
ここで、第１奥行き情報生成部１６Ａ及び第２奥行き情報生成部１６Ｂについては、第１実施形態の説明を援用する。
本第２実施形態において、信号処理部１６は、ＯＳＤ信号生成部１９が出力したＯＳＤ信号に基づいて字幕が表示される特定画像領域としての字幕領域を検出し、字幕領域検出情報を奥行き情報合成部１６Ｃに出力する字幕領域検出部１６Ｅとしても機能する。
【００３１】
これらの結果、奥行き情報合成部１６Ｃは、字幕領域検出部１６Ｅが出力した字幕領域検出情報に基づいて、対応する字幕領域に対して、音声情報に基づいて奥行き情報を割り当てるとともに、画像情報に基づいた奥行き情報に音声情報に基づいた奥行き情報を加味して多視差画像生成に使用する最終的な奥行き情報を生成し、多視差画像生成部１６Ｄに出力する。
【００３２】
多視差画像生成部１６Ｄは、奥行き情報合成部１６Ｃから入力された奥行き情報及び復調復号部１５から入力されたディジタル映像信号に基づいて多視差画像を生成し、合成処理部１７に出力することとなる。
この結果、合成処理部１７及び映像処理部２０を介して映像表示部２１に表示される立体視用映像は、音声情報に対応する奥行きを考慮した飛び出し量（あるいは引っ込み量）を有することとなるともに、字幕が表示されている領域については、音声レベルが高い場合には、飛び出し量をより大きくするなどの効果を付与することができ、臨場感がより一層あふれるような立体視映像となる。特に難聴者であった絵も音声レベルの変化を視覚的に感じてもらうことができ、臨場感がより高まる映像体験を与えることができる。
【００３３】
以上の説明は、本第２実施形態においても、復調復号部１５から入力されたディジタル映像信号が立体視用映像信号あるいは平面視用映像信号のいずれであっても適用が可能である。
以上の説明のように、本第２実施形態によれば、ディジタル映像信号のみならず、ディジタル音声信号も考慮した臨場感がより一層あふれるような立体視映像を得ることが可能となる。特に字幕についても躍動感が表現される臨場感あふれる映像とすることができる。
【００３４】
［第３実施形態］
次に第３実施形態について説明する。
第３実施形態においてもディジタルテレビジョン放送受信装置の信号処理系は第１実施形態と同様であるので、その詳細な説明を援用するものとする。
【００３５】
図４は、第３実施形態における信号処理部の機能ブロック図である。
本第３実施形態において、信号処理部１６は、第１奥行き情報生成部１６Ａ、第２奥行き情報生成部１６Ｂ、奥行き情報合成部１６Ｃ、多視差画像生成部１６Ｄ及び物体（オブジェクト）検出部１６Ｆとして機能している。
ここで、第１奥行き情報生成部１６Ａ及び第２奥行き情報生成部１６Ｂについては、第１実施形態の説明を援用する。
本第３実施形態において、信号処理部１６は、デジタル映像信号に対応する画像の画像構成要素であるオブジェクトが表示されている特定画像領域としての領域を検出する物体検出部１６Ｆとしても機能する。
【００３６】
これらの結果、奥行き情報合成部１６Ｃは、物体検出部１６Ｆが出力した物体（オブジェクト）検出情報に基づいて、対応する（オブジェクト）が表示されている領域に対して、音声情報に基づいて奥行き情報を割り当てるとともに、画像情報に基づいた奥行き情報に音声情報に基づいた奥行き情報を加味して多視差画像生成に使用する最終的な奥行き情報を生成し、多視差画像生成部１６Ｄに出力する。
【００３７】
多視差画像生成部１６Ｄは、奥行き情報合成部１６Ｃから入力された奥行き情報及び復調復号部１５から入力されたディジタル映像信号に基づいて多視差画像を生成し、合成処理部１７に出力することとなる。
この結果、合成処理部１７及び映像処理部２０を介して映像表示部２１に表示される立体視用映像は、音声情報に対応する奥行きを考慮した飛び出し量（あるいは引っ込み量）を有することとなるともに、物体（オブジェクト）が表示されている領域については、音声レベルが高い場合には、飛び出し量をより大きくするなどの効果を付与することができ、臨場感がより一層あふれるような立体視映像となる。
【００３８】
図５は、画像内の物体（オブジェクト）に対する音声情報に基づいた奥行き情報の割り当ての概念説明図である。
図５（ａ）は、信号処理部１６に復調復号部１５から入力される平面視映像信号のフレームＦＲ１〜ＦＲ５の表示画像の一例の説明図であり、画面内を球体であるオブジェクトは左から右に向かって移動する場合のものである。
【００３９】
図５（ｂ）は、図５（ａ）に示した画像に対応する平面視映像信号が入力された場合に、映像信号における物体（オブジェクト）の動きに基づいて奥行き情報を割り当てた場合の説明図であり、枠内の上の数字は、球体であるオブジェクトに割り当てられた奥行き情報であり、枠内の下の数字は、背景に割り当てられた奥行き情報である。ここで、割り当てられる奥行き情報は、０〜２５５の２５６段階とされており、数値が小さいほど飛び出し量（奥行き量）が大きいものとする。
すなわち、背景に対して球体のオブジェクトが手前に飛び出しているような映像となっている。
【００４０】
図５（ｃ）は、音声信号のレベルの時間的な変化を表した図であり、フレームＦＲ１〜ＦＲ４の期間においては、所定のしきい値ＴＨ以下の音声信号レベルとなっている。
【００４１】
したがって、このフレームＦＲ１〜ＦＲ４の期間においては、球体のオブジェクトに割り当てられた奥行き情報は、音声信号レベルが加味されたものとはなっていない。
これらに対し、フレームＦＲ５の期間においては、音声信号のレベルが所定のしきい値ＴＨを超えることとなっている。すなわち、音が大きくなっているので、図５（ｄ）に示すように、フレームＦＲ５においては、球体のオブジェクトに割り当てる奥行き情報を、より飛び出し量が多い場合に相当する９６としており、より一層手前に飛び出した感じの映像となる。
この結果、図５（ｂ）に示した映像と比較して、図５（ｄ）に示した映像によれば、臨場感がより一層あふれるような立体視映像となる。
【００４２】
以上の説明は、本第３実施形態においても、復調復号部１５から入力されたディジタル映像信号が立体視用映像信号あるいは平面視用映像信号のいずれであっても適用が可能である。
【００４３】
以上の説明のように、本第３実施形態によれば、ディジタル映像信号のみならず、ディジタル音声信号も考慮した臨場感がより一層あふれるような立体視映像を得ることが可能となる。特に画面内のオブジェクト毎に躍動感が表現される臨場感あふれる映像とすることができる。
【００４４】
［実施形態の効果］
以上の説明のように、各実施形態によれば、映像情報から生成した奥行き情報に加えて音声情報に基づいて生成した奥行き情報を用いることで、より臨場感のある立体視（いわゆる３Ｄ）映像を生成することが可能となる。
【００４５】
また音声情報に基づいて生成した奥行き情報を、字幕あるいは画像を構成するオブジェクトなどに別個に適用することにより、より一層躍動感のあふれる立体映像を生成することができる。特に字幕に適用した場合には、難聴者に対しても音声レベルの変化を感じてもらうことが可能となる。
【００４６】
［実施形態の変形例］
以上の説明においては、通常音声（モノラルまたは２チャンネルステレオ等）に対するものであったが、同様の手法を２．１チャンネル、５．１チャンネル等のサラウンド音声に適用することも可能である。
より具体的は、例えば、フロントＬチャンネル、フロントＲチャンネル、センターチャンネルの音声レベルをそれぞれ検出し、フロントＬチャンネルの音声信号レベルが所定のしきい値ＴＨを超えた場合は、画面左側に存在する飛び出し量の大きな物体（オブジェクト）に対し、動き情報等によって生成された奥行き情報に対し、さらに飛び出しを大きくする等も可能である。
【００４７】
さらには、一定レベル以上の音声（の音像定位）がフロントチャンネル側から、リアチャンネル側に移動した場合は、飛び出し量を大きくし、リアチャンネルからフロントチャンネルに移動した場合は、飛び出し量を小さくする等も考えられる。
【００４８】
以上の説明においては、映像信号生成装置がディジタルテレビジョン放送受信装置である場合について説明したが、本実施形態の映像信号生成装置としては、ＣＰＵなどの制御装置と、ＲＯＭ（Read Only Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成とすることも可能である。
【００４９】
本実施形態の映像信号生成装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
また、本実施形態の映像信号生成装置で実行される制御プログラムを、インターネット等のネットワークに接続されたコンピュータ上に格納し、ネットワーク経由でダウンロードさせることにより提供するように構成しても良い。また、本実施形態の映像信号生成装置で実行される制御プログラムをインターネット等のネットワーク経由で提供または配布するように構成しても良い。
【００５０】
また、本実施形態の映像信号生成装置で実行される制御プログラムを、ＲＯＭ等に予め組み込んで提供するように構成してもよい。
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５１】
１１    ディジタルテレビジョン放送受信装置
１５    復調復号部
１６    信号処理部
１６Ａ  第１奥行き情報生成部
１６Ｂ  第２奥行き情報生成部
１６Ｃ  奥行き情報合成部
１６Ｄ  多視差画像生成部
１６Ｅ  字幕領域検出部
１６Ｆ  物体検出部
１７    合成処理部
１８    音声処理部
１９    ＯＳＤ信号生成部
２０    映像処理部
２１    映像表示部
２２    スピーカ
２３    制御部
ＴＨ    しきい値
【図１】
2012213070.tif 000003
【図２】
2012213070.tif 000004
【図３】
2012213070.tif 000005
【図４】
2012213070.tif 000006
【図５】
2012213070.tif 000007